(57)【要約】【課題】製造が単純で、且つ自律的操作の余地が比較的大きい塗布具を提供すること。【解決手段】本発明により、爪、皮膚又は唇に塗布される組成物（Ｐ）と、塗布要素（６）、及び少なくとも２つの分枝（３０）を一部分に有するロッド（５）であって、分枝の間に、ロッドの外表面上に開き、ロッドに沿って一定でない断面を有する少なくとも１つの空洞（２４）が形成されるロッドを備える塗布具（３）とを備えた収容及び塗布装置を提供する。【選択図】図１
2007160114.tif 000002
【特許請求の範囲】
【請求項１】
−爪、皮膚又は唇に塗布される組成物、及び
−塗布要素（６）と、少なくとも２つの分枝（３０）を一部分に有するロッド（５）であって、分枝の間に、ロッドの外表面上に開き、ロッドに沿って一定でない断面を有する少なくとも１つの空洞（２４）が形成されるロッド（５）とを備える塗布具
を備えた収容及び塗布装置（１）。
【請求項２】
前記ロッドの一部分が、装置の閉じた位置において容器（２、７２）内に配置されることにより、装置が閉じた位置から、塗布要素が容器から引き出される開いた位置へと移行する間に空気の流れがこの部分の周りに維持されるように、この部分及び容器が構成される、請求項１に記載の装置。
【請求項３】
前記一部分の最大断面が、閉じた位置から開いた位置へ移行する間に前記一部分が通過する容器の内部断面の、最小断面の範囲内である、請求項１又は２に記載の装置。
【請求項４】
一又は複数の空洞（２４）が貫通空洞である、請求項１ないし３のいずれか１項に記載の装置。
【請求項５】
ロッド（５）の前記一部分（２２）の断面は、中間平面（Ｍ）において全体に引き伸ばされた楕円形状である、請求項１ないし４のいずれか１項に記載の装置。
【請求項６】
一又は複数の空洞（２４）が少なくとも１つのスロット（３６）を備える、請求項１ないし５のいずれか１項に記載の装置。
【請求項７】
一又は複数の空洞の長さが、１０ｍｍより大きく、特にロッドの長さの半分より大きい、請求項１ないし６のいずれか１項に記載の装置。
【請求項８】
一又は複数の空洞が、ロッドの遠位部から一定の距離だけ離れた位置にまでに亘ることができ、例えばこの遠位部から１０ｍｍより大きい距離だけ離れた位置までに亘る、請求項１ないし７のいずれか１項に記載の装置。
【請求項９】
ロッド（５）が、一又は複数の空洞（２４）と塗布要素（６）との間に少なくとも１つの縦方向の溝（３９）を備える、請求項１ないし８のいずれか１項に記載の装置。
【請求項１０】
一又は複数の空洞（２４）の底部が、外部且つ下方に向かって伸びる少なくとも１つの傾斜面（３８）により画定される、請求項１ないし９のいずれか１項に記載の装置。
【請求項１１】
一又は複数の空洞の底部が、中間平面（Ｍ）について対称な２つの傾斜面（３８）により画定される、請求項１ないし９のいずれか１項に記載の装置。
【請求項１２】
前記一部分（２２）の断面が、ロッドの遠位端（４０）に向かって次第に縮小する、請求項１ないし１１のいずれか１項に記載の装置。
【請求項１３】
間に一又は複数の空洞を形成する３つの分枝（３０）を備える、請求項１に記載の装置。
【発明の詳細な説明】
【技術分野】
【０００１】
本発明は、爪、並びにまぶた又は唇の皮膚を含む皮膚への塗布を目的とする組成物を含む収容及び塗布装置に関する。
【背景技術】
【０００２】
特許文献１により、マニキュア液を収容する容器と、一端に毛の房で構成される塗布要素を収容するハウジングが設けられたロッドを含む塗布具とを備える装置が知られている。ロッドは、各々が組成物の流れを塗布要素の中間領域に導く複数の対向する縦方向の溝を備える。
特許文献２には、２つの柔軟な分枝で形成される柔軟な部分を有するロッドを含む塗布具が開示されている。このような塗布具では自律的操作はあまりできない。
特許文献３には、毛細管保留部を形成して塗布具の自律的操作の余地を増大させる、ロッド周囲に伸びるシースを備えた塗布具が記載されている。このようなシースの存在により、塗布具の製造コストが増大する。
【特許文献１】欧州特許第１４０７６８５号明細書
【特許文献２】米国特許第６０３３１４３号明細書
【特許文献３】米国特許第４８４１９９６号明細書
【発明の開示】
【発明が解決しようとする課題】
【０００３】
製造が単純で、且つ自律的操作の余地が比較的大きい塗布具が必要とされている。
本発明はこの必要性を満足する事を目的とする。
【課題を解決するための手段】
【０００４】
本発明の目的は、その態様の１つによって、
−爪、皮膚又は唇に塗布される組成物、及び
−塗布要素と、少なくとも２つの分枝を一部分に有するロッドであって、分枝により、ロッドの外表面上に開き、ロッドに沿って一定でない断面を有する少なくとも１つの空洞が形成されるロッドとを備える塗布具
を備えた収容及び塗布装置を提供することである。
前記ロッドの一部分は、例えば、装置の閉じた位置において容器内に配置することができ、この部分及び容器を、装置が閉じた位置から、塗布要素が容器から引き出される開いた位置へと移行する間に空気の流れがこの部分の周りに維持されるように、構成することができる。
【０００５】
前記一部分は、組成物を塗布する間に実質的に変形不可とすることができる。
前記一部分は、装置が閉じた位置から開いた位置へ移行する間、実質的に変形不可とすることができる。
有利には、前記一部分の最大断面は、閉じた位置から開いた位置へ移行する間に前記一部分が通過する容器の内部断面の、最小断面の範囲内とすることができる。これにより、一又は複数の空洞を充填した製品が吸引効果により引き上げられることなく容器内に保持される。
【０００６】
空洞の断面は特に、狭い箇所を有することができる。
一又は複数の空洞により、組成物の保留分を毛細管作用により保持し、塗布要素に外部から組成物を供給することが可能となる。
【０００７】
従って、塗布具の自律的操作が増大し、一又は複数の空洞は、例えば、塗布具を再充填する必要なく５個、場合によっては１０個の爪のメイクアップを可能にする量の組成物を収容するように作成され、それにより爪の処理が容易になり、妥当な場合は蒸発による溶媒の損失を減らすことができる。
塗布具は厚い単層の組成物を分配することができ、よって、例えば爪の輝き、深み、色調及び／又は定着度を向上させることができる。
【０００８】
一又は複数の空洞は好ましくは貫通空洞であり、これにより毛細管作用により保持される組成物の量を増やすことができ、可能であれば一又は複数の空洞の中の組成物の高さを見ることができる。
ロッドの一端には、塗布要素が取り付けられるハウジングが設けられる。
【０００９】
塗布要素はまた、少なくとも部分的にロッドと一緒に成型することができる。
ロッドの前記一部分の断面は、例えば中間平面において全体に引き伸ばされた楕円形の形状とすることができる。
【００１０】
一又は複数の空洞の長さは、例えば１０ｍｍより大きく、特にロッドの長さの半分より大きくてよい。
一又は複数の空洞は、ロッドの遠位部から一定の距離だけ離れた位置までに亘ってよく、例えばこの遠位部から１０ｍｍ以上離れた位置までに亘ってよい。
【００１１】
一又は複数の空洞は少なくとも１つのスロットを含むことができ、スロットの長さは、例えば１０ｍｍより大きく、特にロッドの長さの半分より大きい。
一又は複数のスロットは、先端部でスロットより幅広の少なくとも１つの穴に開くことができ、この穴は、例えば、ロッドを正面からみた場合にほぼ円形である。
【００１２】
塗布具は、末端で接続する２つのスロットを、特に側方に有することができる。
ロッドは、一又は複数の空洞と塗布要素との間に、少なくとも１つの縦方向の溝を備えることができる。この溝は、更に塗布要素を収容するハウジングを画定するロッドの遠位部に設けることができる。一のスロット又は複数のスロットの１つは、複数の縦方向の溝内に開くことができる。
一又は複数のスロットは、縦方向の溝を有さず、例えば外側が平坦な形状のロッドの遠位部の外表面上に開くこともできる。
【００１３】
空洞は１つだけでもよい。
一又は複数の空洞は、ロッドの単一の側において、長さ方向の少なくとも一部分に亘ることができる。例えば、一又は複数のスロットは、ロッドの１つの側にだけ開くことができる。
【００１４】
塗布具が備える分枝の数を２つのみとすることができる。
分枝は、完全に平らではない互いに対向し合う表面を有することができる。
【００１５】
向かい合う表面の間の隙間は、ロッドを対称に分ける中間平面を通る最小幅とすることができる。
スロットに沿った向かい合う表面間の距離は、例えば２ｍｍ以下、好ましくは１.５ｍｍ以下、例えば０.５ｍｍ〜１.５ｍｍ、例えば１ｍｍのオーダーである。
【００１６】
ロッドの前記一部分は、５ｍｍ以上、好ましくは６ｍｍ以上、更に好ましくは７ｍｍ以上の大きな幅を有することができる。これにより、比較的大きい寸法を有する空洞を作成することができ、例えば組成物を収容する容器にロッドを浸漬したとき、ロッド上に分配される製品の量を増やすことができる。
一又は複数の空洞の底部は、外部且つ下方に向かって伸びる少なくとも１つの傾斜面により、又は中間平面について対称な２つの傾斜面により、画定することができる。一又は複数の傾斜面は、組成物をロッドの表面に向かって導くことにより、一又は複数の空洞に含まれる組成物を塗布要素へ向かって流れ易くすることができる。
【００１７】
ロッドの前記部分の断面は、ロッドの遠位末端に向かって次第に縮小させることができる。
ロッドは熱可塑性材料を成型することにより単一片に作成することができる。
【００１８】
ロッドは、間に一又は複数の空洞を形成する３つの分枝を備えることができる。
塗布要素は、毛の束、フロック、フェルト、発泡材、焼結材料又は繊維を含むことができる。
【００１９】
塗布要素はロッドのハウジング内以外に固定することができ、例えば外側からロッドを部分的に覆うことができる。
塗布要素はまた、少なくとも部分的にロッドと一体成型することができる。
【００２０】
このような塗布要素は、フロック加工するか、或いは繊維又は発泡材で覆うことができる。
塗布要素は種々の形状を有することができ、例えばロッドの長軸とゼロでない角度を形成する長軸を有することができる。塗布要素は、ロッドと一直線上に配置されなくてもよく、特に湾曲している及び／又はロッドの長軸と角度を形成することができる。
【００２１】
塗布具はヒンジを備えることができ、このヒンジにより、特にフィルムヒンジを使用する場合、塗布の柔軟性を向上させることができる。
塗布要素を収容するハウジングは、一又は複数の空洞と連絡していなくともよく、この場合、塗布要素の供給はロッドの外側から行われる。
塗布具はロッドを取り巻くシースを備えることができ、これにより、例えばロッドに充填される製品の量を増大させることができる。
【００２２】
毛の束の断面は、概ね平坦、長方形、正方形、楕円形、円形、波形、又は湾曲形状とすることができる。
毛の束は毛及び／又はウェーブのかかった毛の混合物を含むことができる。
毛の束は、特に直毛及びウェーブのかかった毛及び／又は異なるウェーブの大きさを有するウェーブのかかった毛を含むことができる。
【００２３】
組成物は容器に収容することができる。塗布具はこの容器上に取り外し可能に固定することができ、特に容器をシールするように閉じるような構成とすることができる。容器は拭取り部材を備えても備えなくともよい。
第２の容器も、塗布の間、塗布具に固定することができる。この場合、第２容器は、例えばポンプ又はバルブなどの分配装置を備えることができる。第２容器は少なくとも１つの柔軟な壁も有することができ、この壁を押すことによって組成物が分配される。この場合、容器は、閉じた位置において、塗布具の塗布要素の周りに固定することができるカバーを形成する。
組成物は、例えば爪への塗布を意図したものとすることができる。
【００２４】
本発明は、本発明の非限定的な例示的実施形態に関する詳細な説明と、添付図面を参照することにより、更に明確に理解することができる。
【実施例】
【００２５】
図１は、容器２及び使用時に容器２から分離することができる塗布具３を備える収容及び塗布装置を示す。
容器２は、例えばマニキュア液等の爪への塗布を目的とする製品である、組成物Ｐを収容する。
【００２６】
本発明は、１つの特定の化粧品組成物に限定されず、組成物Ｐは、例えば皮膚や唇等の他のケラチン性材料への塗布を目的とする製品とすることができる。
容器２は、塗布前に組成物Ｐを均質化することができる１つ以上のボール４を含むことができる。
【００２７】
塗布具３は、図２に単独で示す、軸Ｘを有するロッド５を備え、ロッド５の一端は塗布要素６を有し、他端は把持部材９に接続している。考慮される実施例による把持部材は、容器２の閉鎖部材も構成している。
塗布具３は種々の方法で容器２に固定することができ、図示される実施例では、容器２は外側にねじが切られた首部１０を備えており、把持部材９は首部１０上にねじ込まれる内側にねじが切られた装着スカート１１を備えている。
【００２８】
容器２の閉鎖によるシールは、例えばロッド５により行われるが、変形例では異なる方法で実施することができ、例えば把持部材９を容器２に取り付けることによりシールが達成される。
ロッド５は、種々の方法により、例えば圧力嵌め及び／又はスナップ装着により、把持部材９に固定することができる。
【００２９】
図３８に示す一変形例では、把持部材９とロッド５は、プラスチック材料を成型することにより一体形成されている。
図示しない変形例では、塗布具３は、ロッド５と把持部材９との間にサブカプセルも備えることができる。
【００３０】
ロッド５は、図５及び６に示すような、内部にハウジング１４を備える遠位部１３と、把持部材に固定するために用いる管状スカート１８を備える近位部１６とを備える。
スカート１８の基底部はプラットフォーム２０に接続し、プラットフォーム２０の下面は、塗布具３が容器２の上に配置されたとき、容器２の首部１０の上方部１００に接することができる。首部１０の上端には、下面２１上に適合する先細りのリップを設けることができ、それによってシールを改善することができる。
ロッド５の近位部１６と遠位部１３との間には中間部２２があり、中間部は、間にＸ軸に沿った細長い空洞２４を画定する２つの分枝３０を備える。
【００３１】
図１Ａ〜Ｃに示すように、中間部２２の断面は全て、容器２の最小断面以内であり、この場合、上方部１００の首部１０の断面の範囲内である。これらの断面は、塗布具が容器２に装着されているとき、中間部２２の縦方向の主軸に垂直に画定される。
考慮される実施例において、空洞２４の上部には、ロッド５の中間平面Ｍに垂直な軸を有する穴３４があり、この穴３４は、例えばロッド５の長さの半分を超える長さを有するスロット３６により底部まで続いている。
【００３２】
スロット３６の底部は、特に図５に示すような２つの傾斜面３８により画定されており、これらの傾斜面は、例えば中間平面Ｍについて互いに対称である。
特に図３に示すように、傾斜面３８の各々は、底部で縦方向の溝３９に連続しており、この縦方向溝は遠位部１３の片側でロッド５の遠位端４０までに亘っている。
【００３３】
図４６に示すように、遠位端４０は縦方向の溝３９の連続部に形成された、例えばＶ字型の切欠き４１を備えることができる。別の構成では、この切欠き４１は必ずしも空洞２４又は縦方向溝３９に連続していなくともよい。切欠き４１により、空洞２４から塗布要素６へと製品の流れを導くことが可能となる。
図７に示すように、分枝３０の向かい合う表面４４は、中間平面Ｍ内の最小値である、例えば１ｍｍのオーダーの距離ｄだけ離れており、表面４４は、互いから離れるように中間平面Ｍから外側に向かう。
【００３４】
スロット３６の長さは、例えば１０ｍｍ以上である。
塗布要素６は、例えば半分に折り返されてハウジングの底部に半分の長さでクランプ留めされた毛の束である。
中間部２２の頂部におけるロッド５の最大幅Ｄは、例えば５ｍｍ以上であり、例えば考慮される実施例の場合７ｍｍのオーダーである。最大幅Ｄは、確実に首部の最小内径未満とする。
【００３５】
図４に示すように、ロッド５の、中間平面Ｍに垂直な平面の幅は、遠位端４０に向かうにつれて縮小させることができる。
中間部２２は比較的剛性であり、塗布具３の使用中は殆ど変形しない。
【００３６】
図１に示すように、塗布具３が容器２上の定位置にあるとき、ロッド５は組成物Ｐ中に浸漬していてもしていなくともよい。
組成物の高さが空洞２４に届くには不十分である場合、使用前に装置を振ることができる。
【００３７】
組成物は少なくとも一時的に毛細管作用により空洞２４中に保持され、処理される領域、例えば爪の上で塗布要素６を移動させるとき、塗布要素６に達することができる。中間部２２は、容器２から引き抜かれるとき、特に首部１０を通過するとき殆ど変形しない。従って、空洞２４中に保持することができる製品の量は、塗布具を容器から引き出すことにより減少しない。
空洞２４を出て行く組成物は、傾斜面３８の効用により、容易に溝３９へと流れ、塗布要素６に外部から到達することができる。
【００３８】
空洞２４内の組成物の高さは、塗布を行うにつれて低下し、適切であれば、ユーザは、ロッド５を観察することにより、容器２中に戻して再充填すべきかどうかを知ることができる。
特に空洞２４は、ロッド５の軸方向に沿う長さの半分を超える長さに亘る貫通空洞であり、ロッド外表面の２つの向かい合う外面に開いている。
考慮される実施形態では、空洞２４により、塗布具３は、複数の爪、例えば片手の爪全て、場合によっては両手の爪全てを処理するのに十分な量の組成物を、塗布具３を容器２中に再浸漬する必要なく取り上げることができる。
【００３９】
塗布要素６は、その断面が全体に平坦となるような形状にすることができ、このとき溝３９により組成物を塗布要素の中間領域中に導入することができ、よって組成物を塗布要素６全体に良好に分配することが可能になり、良質のメイクアップが得やすくなる。
本発明の範囲を逸脱することなく、塗布具３に種々の変更を加えることができる。
例えば、図５に示す２つの傾斜面３８の代わりに、図８に示すような単一の傾斜面３８を用いることができる。
【００４０】
ロッド５は、３つ以上の分枝、例えば図９に示すような３つの分枝３０を備えることができ、この場合空洞２４は、図１０に示すように塗布具の中央領域のこれら分枝３０の間に形成される。
塗布要素６は、例えば、異なる性質及び／又は大きさを有する毛の混合物を含むことができる。
【００４１】
塗布要素６は、毛の束を含む場合、図１１に示すような特にウェーブのかかった毛を含むことができる。
束は、直毛及びウェーブのかかった毛、特にウェーブの大きさが異なるウェーブのかかった毛の混合物を含むことができる。
これにより、毛の束への組成物の保持を改善することができる及び／又は塗布される組成物の流量の調整を更に容易に行うことができる。
【００４２】
塗布要素６の自由端の形状は、図３に示すようにほぼ平坦で軸Ｘに垂直とすることができるか、或いは、図１２に示すように丸められているか、図１３に示すように片側だけが角取りされているか、又は図１４に示すように両側が角取りされている形状とすることができる。
塗布要素６を収容するハウジング１４の形状は、特に塗布要素６が毛の束を含む場合、ロッド５から突出する毛を特定の方向に配向させるような形状を有することができる。
【００４３】
図１５ないし２１は、ハウジング１４の種々の実施例を示す。ハウジング１４は、例えば、図１５及び２０に示すような、断面が円形でも円形でなくともよい円筒形、図１６及び１７に示すような円錐形又は先端を切り取った錐形、又は図１８及び１９に示すような段差を有する形状とすることができる。ロッド５のハウジングの周りの壁は、図２１に示すように一定でなくともよく、これにより例えばスタンピングによりロッドの変形を促進することができる。
塗布要素６は、クランプ留めによりハウジング１４内に固定するか、又は別の方法により、例えば特にその性質に応じて、接着、溶接、オーバーモールド、圧力嵌め、又はスナップ留めすることにより、固定することができる。
【００４４】
図４７に示すように、塗布要素６は少なくとも２つの毛の束６ａ及び６ｂを備えることができ、これらの毛の束は例えば互いに分かれている。これら２つの毛の束は、２つの毛の束をハウジング１４中に挿入することにより得ることができるか、又はハウジング１４の特定の内部構成により得ることができる。
塗布要素６は、毛の束以外とすることができ、図２２に示されるようなフロック、図２３に示されるような発泡体、図２４に示されるような焼結材料５２、又は図２５に示されるようなフェルトペンを含むことができる。
【００４５】
図２６に示すように、塗布要素６は、軸Ｘとゼロでない角度βをなす縦軸Ｚを有することができる。
ロッド５の遠位部１３は特に、末端まで一定の角度で曲げることができる。
図２７に示すように、塗布要素６が湾曲していてもよい。
【００４６】
図２８に示すように、ロッド５の遠位部１３はスタンピングにより押しつぶすことができ、よって、ハウジング１４に特定の形状、例えば成型では得ることが困難な形状又はクランプ留めが困難な形状を与えることができる。
これにより、図２８Ａに示すような非常に平坦な部分、図２８Ｂに示すような波形の部分、又は図２８Ｃに示すような湾曲部分を有する毛の束を得ることができる。
【００４７】
図２９に例示するように、塗布要素６はロッド５と共に成型することにより単一片として作成することもできる。
この図はまた、塗布要素を穿孔できること及びロッドがスロット３６を複数備えることができること、例えば末端で接続できる２つのスロット３６を備えることができることを示している。
【００４８】
空洞２４は、また別の形状、例えば毛細管作用により組成物を保持できるように構成された、図３０に例示されるようなほぼ水滴の形状をとることができる。
適切であれば、図４２に示すように、空洞２４は非貫通型の空洞であるか又は、上方だけ、例えば穴３４の領域内だけを貫通する空洞とすることができ、このとき複数の分枝３０は、スロット３６に沿って又はロッド５の片側で、例えば材料のウェブ１１０によって接合される。
【００４９】
図３１に示すように、ロッド５はシース６０で取り巻くことができ、このシースは、例えば空気取り入れ開口６１を備える。
シース６０の上端は、例えばプラットフォーム２０に隣接するロッド５の管状領域６２に固定される。
塗布要素６には、組成物を収容する容器中に浸漬することにより、組成物を充填することができる。
【００５０】
図３２ないし３７に示すように、一変形例では、空洞２４には、塗布具３に固定された、例えば塗布の際に把持部材として機能する第２容器２から製品を供給することができる。
この場合、ロッド５は、容器２により分配される組成物を空洞２４に到達させることができる内部流路７０を備えることができ、この内部流路７０は、例えば穴３４に開く。
図３２ないし３７に示すこの変形例によれば、容器は、塗布具上の余分な組成物を回収し、組成物が塗布具上で乾燥するのを回避できるカバー７２を形成する。図１、３２、３７及び３９に示す本発明の実施例による容器の特徴を有するのはこのカバー７２である。
【００５１】
図３１の実施例ではロッド５をシース６０が取り巻いているが、図３４及び３７に示すようにこのシースは取り除くことができる。
塗布要素６に製品を充填するためには、例えば容器２の少なくとも１つの変形可能な壁を押すことができる。
【００５２】
図３４の実施例において、ロッド５の頂部はスリーブ８０に接続しており、スリーブの中で容器２はスライド可能である。容器２は、ポンプ又はバルブのような分配装置８１を備え、装置８１の上端はスリーブ８０を越えて突出するので、容器２の上端８３を押すことにより、内部流路７０に開く中空ロッド８４を介して一定量の組成物を分配することができる。
ロッド５は塗布具の把持部材により部分的に覆うことができる。
図３５の実施例では、ロッド５は、上記スリーブ８０の下方延長部により部分的に覆われている。
【００５３】
図３９に示すように、組成物Ｐを収容する容器は、適切であれば拭取り部材９０を備えることができ、これによってロッド及び／又は塗布要素６の表面上の余分な製品を除去することができる。この拭取り部材は、中間部２２がこの部材９０を通過するとき、特に閉じた位置から開いた位置へと変化するとき、空気の流れが中間部２２の周りに維持されるように構成されている。
ロッド５にはヒンジ２０を設けることができ、このヒンジは、例えば図４０に示すように中間平面Ｍにほぼ平行な、又は図４１に示すように中間平面Ｍにほぼ垂直な、関節軸Ｒを画定する。軸Ｒは軸Ｘにほぼ垂直であることができる。
スロット３６は、図４３に示すように複数の溝３９の中に、又は図４４に示すように平滑な表面上に、開くことができる。
【００５４】
本発明は、上述の実施例に限定されない。
特に、上述の異なる例示的実施例の特徴は、互いに組み合わせることができる。
【００５５】
本発明は、メイクアップ製品及び／又はケア製品の爪への塗布に限定されず、組成物は皮膚又は唇への塗布を目的とするものでもよい。
例示される種々の実施例の特定の実施特性は、互いに組み合わせることができる。
例えば、一部の実施例に示された単一のスロットの代わりに、複数のスロットを用いることができる。
【００５６】
「〜を備える」、「〜を含む」、及びこれらと同義の表現は、特に断らない限り「少なくとも１つの〜を備える」、「少なくとも１つの〜を含む」と同義であると理解されたい。
【図面の簡単な説明】
【００５７】
【図１】本発明の例示的一実施形態による収容及び塗布装置の概略的な部分縦断面図である。
【図１Ａ】図１の線Ａ−Ａでの断面図である。
【図１Ｂ】図１の線Ｂ−Ｂでの断面図である。
【図１Ｃ】図１の線Ｃ−Ｃでの断面図である。
【図２】図１の装置のロッドを単独で示す斜視図である。
【図３】ロッド及び塗布要素の立面図である。
【図４】ロッドの側面図である。
【図５】図３の線ＶＩ−ＶＩでの縦断面図である。
【図６】図４の線ＶＩでのロッド末端の部分縦断面図である。
【図７】図３の線ＶＩＩ−ＶＩＩでの縦断面図である。
【図８】変形実施例の図５と同様の図である。
【図９】本発明の別の実施形態によるロッド及び塗布要素を単独で示す斜視図である。
【図１０】図９の線Ｘ−Ｘでの断面図である。
【図１１】塗布要素の別の実施例を示す図３と同様の図である。
【図１２】塗布要素のまた別の実施例を示す図３と同様の図である。
【図１３】塗布要素のまた別の実施例を示す図３と同様の図である。
【図１４】塗布要素のまた別の実施例を示す図３と同様の図である。
【図１５】塗布要素を収容するロッドのハウジングの別の実施例の、図６と同様の図である。
【図１６】塗布要素を収容するロッドのハウジングのまた別の実施例の、図６と同様の図である。
【図１７】塗布要素を収容するロッドのハウジングのまた別の実施例の、図６と同様の図である。
【図１８】塗布要素を収容するロッドのハウジングのまた別の実施例の、図６と同様の図である。
【図１９】塗布要素を収容するロッドのハウジングのまた別の実施例の、図６と同様の図である。
【図２０】塗布要素を収容するロッドのハウジングのまた別の実施例の、図６と同様の図である。
【図２１】塗布要素を収容するロッドのハウジングのまた別の実施例の、図６と同様の図である。
【図２２】塗布要素の別の実施例の、図３と同様の図である。
【図２３】塗布要素のまた別の実施例の、図３と同様の図である。
【図２４】塗布要素のまた別の実施例の、図３と同様の図である。
【図２５】塗布要素のまた別の実施例の、図３と同様の図である。
【図２６】ロッド及び塗布要素の別の実施例の、図４と同様の図である。
【図２７】ロッド及び塗布要素のまた別の実施例の、図４と同様の図である。
【図２８】ロッド及び塗布要素のまた別の実施例の、図４と同様の図である。
【図２８Ａ】毛の束の別の実施例の、図２８の線ＸＸＶＩＩＩ−ＸＸＶＩＩＩでの断面図である。
【図２８Ｂ】毛の束のまた別の実施例の、図２８の線ＸＸＶＩＩＩ−ＸＸＶＩＩＩでの断面図である。
【図２８Ｃ】毛の束のまた別の実施例の、図２８の線ＸＸＶＩＩＩ−ＸＸＶＩＩＩでの断面図である。
【図２９】ロッドの縦断面図である。
【図３０】ロッドのまた別の実施例の、図３と同様の図である。
【図３１】塗布具の別の実施例の縦断面図である。
【図３２】収容及び塗布装置の別の実施例の部分縦断面図である。
【図３３】図３２の装置の実施例の詳細な部分縦断面図である。
【図３４】装置の別の実施例の概略的な部分縦断面図である。
【図３５】図３４の装置の別の実施例の立面図である。
【図３６】装置のまた別の実施例の立面図である。
【図３７】図３６の装置の変形例を示す。
【図３８】塗布具の変形例の部分縦断面図である。
【図３９】容器の変形例の縦断面図である。
【図４０】ロッドの別の実施例の、図３と同様の部分図である。
【図４１】ロッドの別の実施例の、図４と同様の部分図である。
【図４２】ロッドの別の実施例の、図５と同様の図である。
【図４３】塗布具の下端の別の実施例を示す。
【図４４】塗布具の下端のまた別の実施例を示す。
【図４５】塗布具の下端のまた別の実施例を示す。
【図４６】ロッドの遠位端の別の実施例を示す。
【図４７】塗布具の下端のまた別の実施例を示す。
【符号の説明】
【００５８】
１    収容及び塗布装置
２，７２    容器
３    塗布具
５    ロッド
６    塗布要素
２２    ロッドの分枝を備える部分
２４    空洞
３０    分枝
３６    スロット
３８    傾斜面
４０    ロッドの遠位端
Ｍ    中間平面
【図１】
2007160114.tif 000003
【図１Ａ】
2007160114.tif 000004
【図１Ｂ】
2007160114.tif 000005
【図１Ｃ】
2007160114.tif 000006
【図２】
2007160114.tif 000007
【図３】
2007160114.tif 000008
【図４】
2007160114.tif 000009
【図５】
2007160114.tif 000010
【図６】
2007160114.tif 000011
【図７】
2007160114.tif 000012
【図８】
2007160114.tif 000013
【図９】
2007160114.tif 000014
【図１０】
2007160114.tif 000015
【図１１】
2007160114.tif 000016
【図１２】
2007160114.tif 000017
【図１３】
2007160114.tif 000018
【図１４】
2007160114.tif 000019
【図１５】
2007160114.tif 000020
【図１６】
2007160114.tif 000021
【図１７】
2007160114.tif 000022
【図１８】
2007160114.tif 000023
【図１９】
2007160114.tif 000024
【図２０】
2007160114.tif 000025
【図２１】
2007160114.tif 000026
【図２２】
2007160114.tif 000027
【図２３】
2007160114.tif 000028
【図２４】
2007160114.tif 000029
【図２５】
2007160114.tif 000030
【図２６】
2007160114.tif 000031
【図２７】
2007160114.tif 000032
【図２８】
2007160114.tif 000033
【図２８Ａ】
2007160114.tif 000034
【図２８Ｂ】
2007160114.tif 000035
【図２８Ｃ】
2007160114.tif 000036
【図２９】
2007160114.tif 000037
【図３０】
2007160114.tif 000038
【図３１】
2007160114.tif 000039
【図３２】
2007160114.tif 000040
【図３３】
2007160114.tif 000041
【図３４】
2007160114.tif 000042
【図３５】
2007160114.tif 000043
【図３６】
2007160114.tif 000044
【図３７】
2007160114.tif 000045
【図３８】
2007160114.tif 000046
【図３９】
2007160114.tif 000047
【図４０】
2007160114.tif 000048
【図４１】
2007160114.tif 000049
【図４２】
2007160114.tif 000050
【図４３】
2007160114.tif 000051
【図４４】
2007160114.tif 000052
【図４５】
2007160114.tif 000053
【図４６】
2007160114.tif 000054
【図４７】
2007160114.tif 000055
【外国語明細書】
2007160114000001.pdf
2007160114000002.pdf
2007160114000003.pdf
2007160114000004.pdf